(57)【要約】 【課題】巻ハゼ部を備えた屋根において巻ハゼ部を挟持して固定し、付設した直立ボルトに種々の屋根上設置装置を装着する金具において、種々の形状が存在する巻ハゼ部に対応する挟持形状を簡単に備えることのできる金具を提供する。【解決手段】取付ボルト１１を上方に突設した上面板部１の左右に、装着対象屋根の巻ハゼ部を挟持する挟持立板部２，３を連設すると共に、挟持立板部間に挟圧ボルトを貫通装着してなる屋根取付金具において、一方又は双方の挟持立板部２の前後縁部分を内側に折曲すると共に、内端縁を装着対象屋根の巻ハゼ形状に対応する凹凸形状（凹凸部２２）に形成した挟持板部２１を設けてなる。【選択図】  図１
0003156038.tif 000002
【実用新案登録請求の範囲】
【請求項１】
取付ボルトを上方に突設した上面板部の左右に、装着対象屋根の巻ハゼ部を挟持する挟持立板部を連設すると共に、挟持立板部間に挟圧ボルトを貫通装着してなる屋根取付金具において、一方又は双方の挟持立板部の前後縁部分を内側に折曲すると共に、内端縁を装着対象屋根の巻ハゼ形状に対応する凹凸形状に形成した挟持板部を設けてなることを特徴とする屋根取付金具。
【請求項２】
一方の挟持立板部の前後縁部分を内側に折曲して挟持板部を設け、他方挟持立板部に、前記挟持板部の内端縁に対向する挟持面部を設けてなる請求項１記載の屋根取付金具。
【請求項３】
他方挟持立板部における前後縁を、外方に折曲して挟持補強面部としてなる請求項２記載の屋根取付金具。
【請求項４】
上面板部と他方挟持立板部との折曲個所に、抜き孔を設けてなる請求項３記載の屋根取付金具。
【考案の詳細な説明】
【技術分野】
【０００１】
本考案は、主として巻ハゼを備えた屋根に装着して、雪止め部材やソーラーシステム等屋根上に設置する各種部材・装備品を装着する屋根取付金具に関するものである。
【背景技術】
【０００２】
巻ハゼ部を採用している折版屋根や縦葺屋根においては、屋根上に固着する金具として、対向する挟持立板間に挟圧ボルトを貫通して巻ハゼ部を挟持するものが知られている。この巻ハゼ部を挟持する金具は、挟持立板の下縁を内側に折曲して、その内側先端部分で挟持する金具や、或いは挟持立板部の内側に挟持板を設けて挟持部位を面状に挟圧する金具も知られている。
【０００３】
また前記の巻ハゼ部を挟持して屋根上固定する金具は、雪止め部材や、ソーラーシステムの太陽光の受光部材等の屋根上に種々の装置を設置するために、屋根上装置の取付用として上部に直立ボルトを設けているものである（特開２００９−８４９８２号公報等）。
【０００４】
特に巻ハゼ部の下方部分のみを挟持する金具では、挟持圧力が集中してしまい、巻ハゼ部を傷付ける恐れがあるので、特に巻ハゼ部の外形形状に対応した挟持立板部を備えた金具も知られている。例えば特許文献１（特開２００６−１８８８７７号公報）には、丸馳タイプや角馳タイプなど種々形状に対応して挟持立板部を所定の形状に形成した金具が示されている。
【先行技術文献】
【特許文献】
【０００５】
【特許文献１】特開２００６−１８８８７７号公報。
【考案の概要】
【考案が解決しようとする課題】
【０００６】
巻ハゼの上方部分全体を挟圧抱持する金具において、丸馳タイプのように左右対象の単純形状であれば対応が容易であるが、特許文献１の図９に示すように角馳タイプの金具の場合には、挟持立板部分を複雑な形状に形成する必要があり、製造が煩雑である。
【０００７】
更に屋根取付金具においては、屋根上装置を装着するための取付ボルトを付設する必要かあるが、前記特許文献１に開示されているように対向する挟持立板部と挟圧ボルトで金具を構成する場合には、取付ボルトの組み込みが煩雑な構造を採用せざるを得ない（特許文献１の図１３参照）。
【０００８】
そこで本考案は、種々の巻ハゼ形状に容易に対応でき、且つ取付ボルトの付設も容易なものとした新規な屋根取付金具を提案したものである。
【課題を解決するための手段】
【０００９】
本考案に係る屋根取付金具は、取付ボルトを上方に突設した上面板部の左右に、装着対象屋根の巻ハゼ部を挟持する挟持立板部を連設すると共に、挟持立板部間に挟圧ボルトを貫通装着してなる屋根取付金具において、一方又は双方の挟持立板部の前後縁部分を内側に折曲すると共に、内端縁を装着対象屋根の巻ハゼ形状に対応する凹凸形状に形成した挟持板部を設けてなることを特徴とするものである。
【００１０】
而して前記の金具は、貫通する挟圧ボルトにナットを螺合緊締して挟持立板部で屋根の巻ハゼ部を挟んで装着するもので、前記の装着に際して挟持板部の凹凸部に巻ハゼ部が嵌合し、金具と巻ハゼ部が一体化して固定され、上面に突出した取付ボルトに各種の屋根上装置を取り付けるものである。
【００１１】
また本考案（請求項２）に係る屋根取付金具は、特に一方の挟持立板部の前後縁部分を内側に折曲して挟持板部を設け、他方挟持立板部に、前記挟持板部の内端縁に対向する挟持面部を設けてなり、ハゼ部が一側に突出形成されている屋根に対して効率的に装着できる。更に他方挟持立板における前後縁を外方に折曲して挟持補強面部を設けることで（請求項３）、他方挟持立板部の補強がなされ、また上面板部と他方挟持立板部との折曲個所に、抜き孔を設けることで（請求項４）、金具製造時の折曲加工が容易になる。
【考案の効果】
【００１２】
本考案の構成は上記のとおりで、巻ハゼ部の挟持個所を巻ハゼ形状と対応する凹凸形状に形成したものであるから、巻ハゼ部が凹凸部分に嵌合して挟持されるので、上方へ抜け抵抗力が強く、巻ハゼ部と金具本体が一体化して固定されると共に、前記の凹凸部分は挟持立板部の前後縁の挟持板部の内端縁に形成するので、巻ハゼ部の形状が種々存在したとしても、プレス加工の打ち抜きで容易に対応できるものである。
【図面の簡単な説明】
【００１３】
【図１】本考案の実施形態の全体斜視図。
【図２】同使用状態の正面図。
【図３】同別例図。
【考案を実施するための形態】
【００１４】
次に本考案の実施形態について説明する。図１，２に示した実施形態の金具は、金具本体が、上面板部１と、上面板部１の左右に下方に折曲して連設した挟持立板部２，３で構成され、これに挟圧ボルト４及びナット５を付属させたものである。
【００１５】
上面板部１には、取付ボルト１１を上方に突設してなり、一方の挟持立板部２は、前後縁部分を内側に折曲して挟持板部２１を形成すると共に、前記挟持板部２１の内端縁に、装着対象の屋根の巻ハゼ部Ａの形状に対応する凹凸部２２を設け、更に下方部分は外方に折曲して脚板部２３を設けたものである。
【００１６】
他方の挟持立板部３は、挟持板部２１の内端縁に対向する部分を、巻ハゼ部Ａと当接する形状の挟持面部３１に形成すると共に、挟持立板部３における前後縁を外方に折曲して挟持補強面部３２に形成し、更に下方部分は外方に折曲して脚板部３３を設けたものである。また上面板部１と挟持立板部３との折曲個所には、抜き孔３４を設けて、挟持立板部３の折曲加工を容易にしている。
【００１７】
挟圧ボルト４は、挟持立板部２，３に設けたボルト孔に貫通装着してなるもので、挟持立板部３から突出したボルト軸にナット５を螺合装着したものである。
【００１８】
而して従前の屋根取付金具と同様に、装着対象の屋根上の巻ハゼ部Ａの左右に挟持立板部２，３が位置するように載置し、挟圧ボルト４に螺合したナット５を緊締して、挟持立板部２の凹凸部２２に巻ハゼ部Ａが嵌合状態として、巻ハゼ部Ａを強圧するので、金具本体と巻ハゼ部Ａが一体化して固定されるものである。
【００１９】
そして上面に突出した取付ボルト１１を使用して屋根上に各種装置を取り付けるものである。
【００２０】
また本考案は、前記の実施形態のように一方の挟持立板部２に挟圧板部２１及び凹凸部２２を設けるものは、所謂角ハゼと称される一側に巻ハゼ部が突出する屋根形状に対して有効であるが、図３に示す丸ハゼＢのように左右双方に巻ハゼ部が突出する屋根形状に対しては、対向する両挟持立板部２，２ａの各々に挟持板部２１，２１ａを形成すると共に内端縁に凹凸部２２，２２ａを設けるようにしても良い。
【符号の説明】
【００２１】
１          上面板部
１１        取付ボルト
２，２ａ    挟持立板部
２１，２１ａ    挟持板部
２２，２２ａ    凹凸部
２３            脚板部
３          挟持立板部
３１        挟持面部
３２        挟持補強面部
３３        脚板部
３４        抜き孔
４          挟圧ボルト
５          ナット
【図１】
0003156038.tif 000003
【図２】
0003156038.tif 000004
【図３】
0003156038.tif 000005